(57)【要約】【解決手段】  透析装置１は、血液ポンプおよび透析液ポンプを備えた本体部３と、輸液バッグ等を吊下するためのフック４ａを備えたポール４と、該ポール４を本体部３に保持するポールホルダ５と、ダイアライザ２を保持するダイアライザホルダ６とを有している。  上記ポールホルダ５は、ポール４の軸方向に沿って上下に離隔した位置に設けられた上側軸受け部５ａおよび下側軸受け部５ｂを備え、上記ダイアライザホルダ６は、上記上側軸受け部５ａと下側軸受け部５ｂとの間に挿入されるとともに上記ポール４を軸支する軸受け部１１と、該軸受け部１１に連結されて上記ダイアライザ２を保持する保持部１２とから構成されている。【効果】  操作が容易でかつ設置スペースを抑えることができる。【選択図】  図２
2010193997.tif 000002
【特許請求の範囲】
【請求項１】
血液ポンプおよび透析液ポンプを備えた本体部と、輸液バッグ等を吊下するためのフックを備えたポールと、該ポールを本体部に保持するポールホルダと、ダイアライザを保持するダイアライザホルダとを備えた透析装置において、
上記ポールホルダは、ポールの軸方向に沿って上下に離隔した位置に設けられるとともに、それぞれ上記ポールを軸支する上側軸受け部および下側軸受け部を備え、
上記ダイアライザホルダは、上記上側軸受け部と下側軸受け部との間に挿入されるとともに上記ポールを軸支する軸受け部と、該軸受け部に連結されて上記ダイアライザを保持する保持部とから構成されることを特徴とする透析装置。
【請求項２】
上記ダイアライザホルダにおける軸受け部の内周面の径を上記ポールの径よりも小径とするとともに該軸受け部に内周面から外周面に貫通する切欠きを形成し、上記ポールを該軸受け部に圧入したことを特徴とする請求項１に記載の透析装置。
【発明の詳細な説明】
【技術分野】
【０００１】
本発明は透析装置に関し、詳しくは本体部と、フックを備えたポールと、該ポールを本体部に保持するポールホルダと、ダイアライザを保持するダイアライザホルダとを備えた透析装置に関する。
【背景技術】
【０００２】
従来、透析装置として、血液ポンプおよび透析液ポンプを備えた本体部と、輸液バッグ等を吊下するためのフックを備えたポールと、該ポールを本体部に保持するポールホルダと、ダイアライザを保持するダイアライザホルダとを備えた透析装置が知られている。
上記透析装置として、上記ポールにダイアライザホルダを設けてノブによりポールとダイアライザホルダとを相互に移動可能にしたものや（特許文献１）、本体部の異なる位置にポールとダイアライザホルダとを設けたものが知られている（特許文献２）。
【先行技術文献】
【特許文献】
【０００３】
【特許文献１】実開平４−４０６４７号公報
【特許文献２】特表２００６−５０１０００号公報
【発明の概要】
【発明が解決しようとする課題】
【０００４】
しかしながら、上記特許文献１のダイアライザホルダはノブによってポールに固定する必要があることから、ポールを回転させるとダイアライザホルダも移動してしまい、その後ダイアライザホルダを回転させてダイアライザの位置を調整しなければならず、操作が煩雑であるという問題があった。
また上記特許文献２の透析装置ではポールとダイアライザホルダとが異なる位置に設けられているため、ポールに吊下される輸液バッグとダイアライザホルダに保持されるダイアライザとが、透析装置上方から見て異なる範囲で揺動するため、透析装置の設置スペースを圧迫するといった問題がある。
このような問題に鑑み、操作が容易で設置スペースの少ない透析装置を提供するものである。
【課題を解決するための手段】
【０００５】
すなわち請求項１の発明にかかる透析装置は、血液ポンプおよび透析液ポンプを備えた本体部と、輸液バッグ等を吊下するためのフックを備えたポールと、該ポールを本体部に保持するポールホルダと、ダイアライザを保持するダイアライザホルダとを備えた透析装置において、
上記ポールホルダは、ポールの軸方向に沿って上下に離隔した位置に設けられるとともに、それぞれ上記ポールを軸支する上側軸受け部および下側軸受け部を備え、
上記ダイアライザホルダは、上記上側軸受け部と下側軸受け部との間に挿入されるとともに上記ポールを軸支する軸受け部と、該軸受け部に連結されて上記ダイアライザを保持する保持部とから構成されることを特徴としている。
【０００６】
また請求項２の発明にかかる透析装置は、上記請求項１の発明において、上記ダイアライザホルダにおける軸受け部の内周面の径を上記ポールの径よりも小径とするとともに該軸受け部に内周面から外周面に貫通する切欠きを形成し、上記ポールを該軸受け部に圧入したことを特徴としている。
【発明の効果】
【０００７】
上記請求項１の発明によれば、ダイアライザホルダはポールホルダに軸支されるポールと同一軸心上で回転可能であり、ポールとダイアライザホルダとをそれぞれ独立して回転させることができ、良好な操作性を得ることができる。
またダイアライザホルダとポールホルダとを本体部に対して一体的に設けることができるため、透析装置上方から見て、ポールに吊下する輸液バッグやダイアライザの揺動範囲を重複させることができ、透析装置の設置スペースを少なくすることが可能である。
【０００８】
また請求項２の発明によれば、ダイアライザホルダをポールに取り付ける際に上記切欠きにより軸受け部の内周面が拡径して、ポールへの締結力を生じさせるとともに、ダイアライザホルダを揺動させる際に適度な抵抗を与えることができる。
【図面の簡単な説明】
【０００９】
【図１】本実施例にかかる透析装置の正面図。
【図２】ダイアライザホルダの平面図。
【発明を実施するための形態】
【００１０】
以下図示実施例について説明すると、図１は本実施例にかかる透析装置１を示し、ここでは病院等に設置された透析装置を示している。
透析装置１にはダイアライザ２が装着され、該ダイアライザ２の内部には内部を血液が流通する中空糸が束になって設けられており、該中空糸の外部に透析液を流通させて透析治療を行うようになっている。
透析装置は、血液ポンプおよび透析液ポンプを備えた本体部３と、輸液バッグ等を吊下するためのフック４ａを備えたポール４と、該ポール４を本体部３に保持するポールホルダ５と、ダイアライザ２を保持するダイアライザホルダ６とを備え、上記本体部３とダイアライザ２との間には、図示しないが透析液を流通させる透析液通路および血液を流通させる血液通路が接続されている。
【００１１】
上記本体部３には上記血液ポンプや透析液ポンプのほか、透析装置１の操作や患者の状態を監視するためのタッチパネル式のディスプレイが設けられ、図示しないキャスターによって移動可能とされている。
上記ポール４は断面円形を有するとともにクランク状に屈曲しており、下端部が上記ポールホルダ５に回転可能に軸支され、該ポール４の水平部４ｂは上記ダイアライザホルダ６に保持されたダイアライザ２の上端よりも上方に位置しており、ポール４を回転させた際に該水平部４ｂがダイアライザ２に干渉しないようになっている。
上記フック４ａはポール４の上端部に設けられており、該フック４ａは４方向に向けて略十字方向に配置されるとともに、伸縮手段４ｃによって上下に昇降可能に設けられている。
上記構成により、ポール４を回転させることで水平部４ｂがポールホルダ５に軸支された下端部を中心に揺動し、ポール４の上部に設けられたフック４ａに吊下された輸液バッグ等を本体部に対して水平方向に移動させることが可能であり、上記伸縮手段４ｃによって輸液バッグを昇降させることも可能となっている。
【００１２】
上記ポールホルダ５は本体部３の図示右側の側面に設けられており、ポール４の軸方向に沿って上下に離隔した位置に設けられた上側軸受け部５ａおよび下側軸受け部５ｂから構成されている。
上記上側軸受け部５ａおよび下側軸受け部５ｂはそれぞれ上記ポール４を回転可能に軸支し、このうち上記下側軸受け部５ｂはポール４の下端部を保持しながら軸支するようになっている。
上記上側軸受け部５ａには上記ポール４の回転を阻止するためのノブ７が設けられており、このノブ７を緩めることでポール４を回転を許容し、ノブ７を閉めることでポール４の回転を規制するようになっている。
【００１３】
上記ダイアライザホルダ６は、上記上側軸受け部５ａと下側軸受け部５ｂとの間に挿入されるとともに上記ポール４を軸支する軸受け部１１と、上記ダイアライザ２を保持する保持部１２と、上記軸受け部１１と保持部１２とを連結する連結部１３とを備えている。
図２はダイアライザホルダ６を上方からみた図であり、上記軸受け部１１の内周面にはシリコン樹脂等の摩擦係数の高い合成樹脂からなるすべり軸受１４が設けられ、また軸受け部１１における上記連結部１３の反対側には、内周面から外周面に貫通するとともに軸受け部１１の軸方向長さに渡って切欠き１５が形成されている。
上記軸受け部１１におけるすべり軸受１４の内周面の径は、上記ポール４の径よりも若干小径になっており、透析装置１組み立ての際には、予め軸受け部１１を上記上側軸受け部５ａと下側軸受け部５ｂとの間に位置させた状態で、ポール４を該軸受け部１１に圧入するようになっている。このため上記軸受け部１１はポール４の径にあわせて拡径し、これに伴って上記切欠き１５部の幅が広がるようになっている。
上記保持部１２は２つの把持部材１２ａとこれら把持部材１２ａを閉鎖方向に付勢する図示しないばねとから構成され、作業者がばねの付勢力に抗して把持部材１２ａを広げ、ダイアライザ２をこれら把持部材１２ａによって挟持させるようになっている。
一方の把持部材１２ａの側面には上記ダイアライザ２に接続された血液通路や透析液通路を固定するためのチューブクリップ１２ｂが設けられ、透析治療中における血液通路等の散乱を防止することができる。
上記保持部１２と上記連結部１３とは回転可能に設けられており、保持部１２は連結部１３に対して９０°回転させるごとに保持部１２と連結部１３のいずれか一方に設けた凸部と他方に設けた凹部とが係合する等して、クリック感が得られるような構造を有し、ダイアライザ２を水平状態や上下反転状態に保持することが可能となっている。
【００１４】
上記構成を有する透析装置１によれば、ダイアライザホルダ６はポールホルダ５によって軸支されたポール４を中心に回転可能となっているため、ポール４とダイアライザホルダ６とを個別に揺動させることが可能となる。
つまり、ポール４のフック４ａに吊下された輸液バッグだけを移動させたり、ダイアライザホルダ６に保持されたダイアライザ２だけを移動させたりすることが可能となっている。
このとき、ポール４のフック４ａに吊下された輸液バッグとダイアライザホルダ６に保持されたダイアライザ２とは、透析装置上方から見て互いの揺動範囲が重なり合うようになるため、透析装置１の設置スペースを抑えることができる。
また、ダイアライザホルダ６はポールホルダ５を構成する上記上側軸受け部５ａと下側軸受け部５ｂとの間に挿入されることから、ダイアライザホルダ６の上下方向の移動を規制しつつ、水平方向への回転を許容するようになっている。
このため、ポール４とダイアライザホルダ６とを相互に回転させても、ダイアライザホルダ６に保持されたダイアライザ２がポール４の水平部４ｂに干渉しないようになっている。
そして、軸受け部１１に切欠き１５を形成するとともにシリコン樹脂等の摩擦係数の高い合成樹脂からなるすべり軸受け１４の内径をポール４の直径よりも若干小径とすることで、ダイアライザホルダ６の回転の際に若干の抵抗が発生し、ダイアライザホルダ６が勝手に回転してしまうのを防止することができる。
【符号の説明】
【００１５】
１  透析装置                    ２  ダイアライザ
３  本体部                      ４  ポール
５  ポールホルダ                ５ａ  上側軸受け部
５ｂ  下側軸受け部              ６  ダイアライザホルダ
１１  軸受け部                  １４  すべり軸受け
１５  切欠き
【図１】
2010193997.tif 000003
【図２】
2010193997.tif 000004